(57)【特許請求の範囲】
【請求項１】
右眼用映像と左眼用映像とを時間的に交互に映像表示する立体映像用表示装置から送信される左右映像切換え用のタイミング信号を受信する信号受信部と、
このタイミング信号に従って右眼と左眼とに対して開閉動作を行う右眼用液晶シャッターおよび左眼用液晶シャッターと、
上記右眼用液晶シャッターおよび上記左眼用液晶シャッターを駆動する液晶シャッター駆動部と、
特定の上記立体映像用表示装置に対応した特定の左右の液晶シャッターが、この特定の立体映像用表示装置が送信するタイミング信号に従って、開閉するタイミングを学習する学習部と、
上記特定の立体映像用表示装置が送信する複数のタイミング信号の出力パターンと、この出力パターンに対応すると共に上記学習部にて学習した複数の開閉タイミングとを記憶する記憶部と、
上記特定の立体映像用表示装置から上記信号受信部を介して受信されたタイミング信号の出力パターンを、この出力パターンに対応する開閉タイミングとともに、上記記憶部から選択すると共に、その選択した開閉タイミングによって、上記受信したタイミング信号に同期して、上記右眼用液晶シャッターおよび上記左眼用液晶シャッターの開閉を制御する制御部と
を備えることを特徴とする立体映像用メガネ。
【請求項２】
請求項１に記載の立体映像用メガネにおいて、
上記学習部は、上記特定の立体映像用表示装置の伝送信号に従って上記特定の左右の液晶シャッターが開閉するタイミングを測定する発光素子、発光素子駆動回路、受光素子および受光回路を有し、
上記記憶部は、上記特定の立体映像用表示装置の伝送信号を記憶すると共に、上記学習部にて測定した上記特定の左右の液晶シャッターの開閉タイミングを記憶することを特徴とする立体映像用メガネ。
【請求項３】
請求項１または２に記載の立体映像用メガネにおいて、
上記信号受信部は、上記立体映像用表示装置から赤外線通信により送信される上記タイミング信号を受ける受光素子および受信回路を有することを特徴とする立体映像用メガネ。
【請求項４】
請求項１または２に記載の立体映像用メガネにおいて、
上記信号受信部は、上記立体映像用表示装置から無線通信により送信される上記タイミング信号を受けるアンテナおよび受信回路を有することを特徴とする立体映像用メガネ。
【請求項５】
請求項１から４の何れか一つに記載の立体映像用メガネを備えていることを特徴とする電子機器。
【発明の詳細な説明】
【技術分野】
【０００１】
この発明は、例えば、テレビやパソコン等の立体映像用表示装置に対応可能な立体映像用メガネ、および、この立体映像用メガネを有する電子機器に関する。
【背景技術】
【０００２】
従来より、テレビやパソコン等の表示装置を有する電子機器では、立体映像表示方式として、左眼用の映像と右眼用の映像とを液晶シャッターにて切換えるためのメガネを用いるのが一般的である。
【０００３】
実公昭６４−１９９１５号公報（特許文献１）に開示された「ワイヤレス立体視用シャッターメガネ」は赤外線通信により右眼用と左眼用の液晶シャッター切り替えタイミング信号を送る例である。図１２は外観斜視図を示し、図１３は図１２の要部拡大断面図を示す。赤外線により送られてくるシャッター切り替えタイミング信号を受光素子８１で受けた後、信号処理回路８３にて液晶駆動信号に変換し、右眼用液晶シャッター７２と左眼用液晶シャッター７３を切り替える。７５は電源装置であり、８６はメガネフレームであり、７４はヘッドバンドである。
【０００４】
特表２００９−５３１９７９号公報（特許文献２）に開示された「立体メガネシャッタを制御するシステム、方法及びコンピュータプログラム製品」におけるシャッター制御方法を図１４に示す。図１４では、最初に、左眼でのみ見ることを意図された第１の左画像Ｌ１が通信媒体１０１を介して送信される様子が示されている。この後、送信の一時休止、すなわち、垂直帰線区間ＶＢ１がある。次に、右眼でのみ見ることを意図された第１の右眼画像Ｒ１が送信され、以降も同様に繰り返される。さらに示されるように、立体メガネの右眼シャッター及び左眼シャッターは、複数の信号（例えばコード）を利用して別々に制御することが可能である。この例では右眼シャッターを制御する右眼制御信号１０４と、左眼シャッターを制御する左眼制御信号１０５とを利用して達成可能である。さらに、図１５は別のシャッター制御方法を示す。この例では、操作１１１でディスプレイに送信された表示コンテンツが、操作１１２で示される様式で受信及びバッファリングされることが可能である。個々の眼を対象とする表示コンテンツは、操作１１２で受信及びバッファリングされた後、操作１１２にさらに示されるように、バッファからディスプレイへ送信されることが可能である。このためには、ディスプレイは、現在バッファから送信されている個々の表示コンテンツをペイントすることが可能である（操作１１３を参照）。なお、個々の眼を対象とする表示コンテンツが送信及びペイントされた後、それらの表示コンテンツは図示された様式で保持されることが可能となる。
【０００５】
特開２０１０−７８９８５号公報（特許文献３）に開示された「シーケンシャル型立体表示装置」は、右眼用画像と左眼用画像を時間的に交互に提示し、右眼用画像と左眼用画像を書き込む部分領域を交互にバックライトにて照明する。図１６は上記システムにおいて右眼用映像を鑑賞者に提示する状況を説明している。この時、１フレーム毎の映像を表示する間、表示パネル１２１の第１の領域（奇数ライン）には、右眼用の映像データが書き込まれ、第２の領域（偶数ライン）には左眼用の映像データが書き込まれている。また、バックライト１２４の第１領域（奇数ライン）と第２の領域（偶数ライン）とは、１フレームの映像を表示する間にたとえば１４０４Ｈｚ以上の周波数で発光を繰り返す。鑑賞者はシャッターメガネ１２２を装着しており、バックライト１２４の発光を繰り返す周期に同期して、右眼用か左眼用かに応じて対応した眼のみに映像が到達するように、シャッターメガネの開閉を制御する。
【０００６】
以上の如く、表示装置とシャッターメガネの制御方式の違いにより、表示装置毎に対応するメガネが必要となる。
【０００７】
上記特許文献１〜３に開示されたメガネによれば、ワイヤレスで両眼視差をもちいた立体映像を実現できるが、１つの表示装置に対応したメガネであり、他の表示装置のタイミング信号に対応して液晶シャッターを駆動できない。
【０００８】
なお、赤外線リモコンなど他の機器においても学習機能を持たせて他方式への対応を行うものが存在するが、立体映像用メガネの場合には、他の機器にない仕組みや技術が必要となる。
【先行技術文献】
【特許文献】
【０００９】
【特許文献１】実公昭６４−１９９１５号公報
【特許文献２】特表２００９−５３１９７９号公報
【特許文献３】特開２０１０−７８９８５号公報
【発明の概要】
【発明が解決しようとする課題】
【００１０】
そこで、この発明の課題は、複数の互いに異なる方式（タイミング信号の出力パターン）に対応できて、様々な種類の立体映像用表示装置に適応できる立体映像用メガネ、および、この立体映像用メガネを有する電子機器を提供することにある。
【課題を解決するための手段】
【００１１】
【００１２】
【００１３】
【００１４】
【００１５】
【００１６】
【００１７】
【００１８】
【００１９】
【００２０】
【００２１】
上記課題を解決するため、この発明の立体映像用メガネは、
右眼用映像と左眼用映像とを時間的に交互に映像表示する立体映像用表示装置から送信される左右映像切換え用のタイミング信号を受信する信号受信部と、
このタイミング信号に従って右眼と左眼とに対して開閉動作を行う右眼用液晶シャッターおよび左眼用液晶シャッターと、
上記右眼用液晶シャッターおよび上記左眼用液晶シャッターを駆動する液晶シャッター駆動部と、
特定の上記立体映像用表示装置に対応した特定の左右の液晶シャッターが、この特定の立体映像用表示装置が送信するタイミング信号に従って、開閉するタイミングを学習する学習部と、
上記特定の立体映像用表示装置が送信する複数のタイミング信号の出力パターンと、この出力パターンに対応すると共に上記学習部にて学習した複数の開閉タイミングとを記憶する記憶部と、
上記特定の立体映像用表示装置から上記信号受信部を介して受信されたタイミング信号の出力パターンを、この出力パターンに対応する開閉タイミングとともに、上記記憶部から選択すると共に、その選択した開閉タイミングによって、上記受信したタイミング信号に同期して、上記右眼用液晶シャッターおよび上記左眼用液晶シャッターの開閉を制御する制御部と
を備えることを特徴としている。
【００２２】
この発明の立体映像用メガネによれば、上記学習部は、特定の上記立体映像用表示装置に対応した特定の左右の液晶シャッターが、この特定の立体映像用表示装置が送信するタイミング信号に従って、開閉するタイミングを学習し、上記記憶部は、上記特定の立体映像用表示装置が送信するタイミング信号の出力パターンと、この出力パターンに対応すると共に上記学習部にて学習した開閉タイミングとを記憶し、上記制御部は、上記特定の立体映像用表示装置から上記信号受信部を介して受信されたタイミング信号の出力パターンを、この出力パターンに対応する開閉タイミングとともに、上記記憶部から選択すると共に、その選択した開閉タイミングによって、上記受信したタイミング信号に同期して、上記右眼用液晶シャッターおよび上記左眼用液晶シャッターの開閉を制御するので、特定の立体映像用表示装置から伝送されるタイミング切り替え信号を学習部によって学習することにより、特定の立体映像用表示装置に適応できる。
【００２３】
また、一実施形態の立体映像用メガネでは、
上記学習部は、上記特定の立体映像用表示装置の伝送信号に従って上記特定の左右の液晶シャッターが開閉するタイミングを測定する発光素子、発光素子駆動回路、受光素子および受光回路を有し、
上記記憶部は、上記特定の立体映像用表示装置の伝送信号を記憶すると共に、上記学習部にて測定した上記特定の左右の液晶シャッターの開閉タイミングを記憶する。
【００２４】
この実施形態の立体映像用メガネによれば、上記学習部は、上記特定の立体映像用表示装置の伝送信号に従って上記特定の左右の液晶シャッターが開閉するタイミングを測定する発光素子、発光素子駆動回路、受光素子および受光回路を有し、上記記憶部は、上記特定の立体映像用表示装置の伝送信号を記憶すると共に、上記学習部にて測定した上記特定の左右の液晶シャッターの開閉タイミングを記憶するので、特定の立体映像用表示装置に適応できる。
【００２５】
また、一実施形態の立体映像用メガネでは、上記信号受信部は、上記立体映像用表示装置から赤外線通信により送信される上記タイミング信号を受ける受光素子および受信回路を有する。
【００２６】
この実施形態の立体映像用メガネによれば、上記信号受信部は、上記立体映像用表示装置から赤外線通信により送信される上記タイミング信号を受ける受光素子および受信回路を有するので、赤外線通信によりタイミング信号を伝送する立体映像用表示装置に適したものとなる。
【００２７】
また、一実施形態の立体映像用メガネでは、上記信号受信部は、上記立体映像用表示装置から無線通信により送信される上記タイミング信号を受けるアンテナおよび受信回路を有する。
【００２８】
この実施形態の立体映像用メガネによれば、上記信号受信部は、上記立体映像用表示装置から無線通信により送信される上記タイミング信号を受けるアンテナおよび受信回路を有するので、無線通信によりタイミング信号を伝送する立体映像用表示装置に適したものとなる。
【００２９】
また、一実施形態の電子機器では、上記立体映像用メガネを備えている。
【００３０】
この実施形態の電子機器によれば、上記立体映像用メガネを備えているので、様々な種類の立体映像用表示装置に適応できる。
【発明の効果】
【００３１】
この発明の立体映像用メガネによれば、上記記憶部は、複数の出力パターンと、その出力パターンに応じた複数のコマンド信号とを記憶し、上記制御部は、立体映像用表示装置から受信されたタイミング信号の出力パターンを記憶部から選択すると共に、その選択した出力パターンのコマンド信号によって、受信したタイミング信号に同期して、右眼用液晶シャッターおよび左眼用液晶シャッターの開閉を制御するので、複数の互いに異なる方式（出力パターン）に対応できて、様々な種類の立体映像用表示装置に適応できる。
【００３２】
この発明の立体映像用メガネによれば、上記学習部は、特定の立体映像用表示装置に対応した特定の左右の液晶シャッターが、この特定の立体映像用表示装置が送信するタイミング信号に従って、開閉するタイミングを学習し、上記記憶部は、特定の立体映像用表示装置が送信するタイミング信号の出力パターンと、この出力パターンに対応すると共に学習部にて学習した開閉タイミングとを記憶し、上記制御部は、特定の立体映像用表示装置から信号受信部を介して受信されたタイミング信号の出力パターンを、この出力パターンに対応する開閉タイミングとともに、記憶部から選択すると共に、その選択した開閉タイミングによって、受信したタイミング信号に同期して、右眼用液晶シャッターおよび左眼用液晶シャッターの開閉を制御するので、特定の立体映像用表示装置から伝送されるタイミング切り替え信号を学習部によって学習することにより、特定の立体映像用表示装置に適応できる。
【００３３】
この実施形態の電子機器によれば、上記立体映像用メガネを備えているので、様々な種類の立体映像用表示装置に適応できる。
【図面の簡単な説明】
【００３４】
【図１】本発明の立体映像用メガネの第１実施形態を示す簡略構成図である。
【図２】立体映像用メガネの斜視図である。
【図３】立体映像用表示装置から送信される左右の液晶シャッターの切り替えタイミング信号の一例を示す説明図である。
【図４】本発明の立体映像用メガネの第２実施形態を示す簡略構成図である。
【図５】本発明の立体映像用メガネの第３実施形態を示す簡略構成図である。
【図６】本発明の立体映像用メガネの第４実施形態を示す簡略構成図である。
【図７】本発明の立体映像用メガネの第５実施形態を示す簡略構成図である。
【図８】本発明の立体映像用メガネの第６実施形態を示す簡略構成図である。
【図９】本発明の立体映像用メガネの第７実施形態を示す簡略構成図である。
【図１０】本発明の立体映像用メガネの第８実施形態を示す簡略構成図である。
【図１１】本発明の立体映像用メガネの第９実施形態を示す簡略構成図である。
【図１２】従来のワイヤレス立体視用シャッターメガネの斜視図である。
【図１３】図１２の要部の拡大断面図である。
【図１４】従来の立体メガネのタイミングを示す説明図である。
【図１５】従来の立体メガネのタイミングを示す説明図である。
【図１６】従来の立体メガネの作用を説明する説明図である。
【発明を実施するための形態】
【００３５】
以下、この発明を図示の実施の形態により詳細に説明する。
【００３６】
（第１の実施形態）
図１は、この発明の立体映像用メガネの第１実施形態である簡略構成図を示している。図１に示すように、この立体映像用メガネは、右眼用液晶シャッター１と、左眼用液晶シャッター２と、上記左右の液晶シャッター１，２を駆動する液晶シャッター駆動部３と、通信用ＩＣ４と、全体の電源となるバッテリー８と、送信されたタイミング信号を受信する信号受信部９とを有する。
【００３７】
上記信号受信部９は、図示しない立体映像用表示装置から送信される左右映像切換え用のタイミング信号を受信する。この立体映像用表示装置は、例えば、パソコンやテレビ等の本体側であり、右眼用映像と左眼用映像とを時間的に交互に映像表示する。
【００３８】
上記左右の液晶シャッター１，２は、上記左右映像切換え用のタイミング信号に従って右眼と左眼とに対して開閉動作を行う。
【００３９】
上記通信用ＩＣ４は、制御部としてのマイクロコンピュータ５と、記憶部としてのＲＯＭ６と、外部とのインターフェイス７とを有する。
【００４０】
上記ＲＯＭ６は、上記タイミング信号の複数の出力パターンと、その出力パターンに応じた複数のコマンド信号とを記憶する。出力パターンは、各社・各機種の立体映像用表示装置毎に、相違する。コマンド信号は、左右の液晶シャッター１，２の開閉状態を表す。
【００４１】
上記マイクロコンピュータ５は、上記左右の液晶シャッター１，２を独立に開閉（ＯＮ，ＯＦＦ）制御する。マイクロコンピュータ５は、立体映像用表示装置から信号受信部９を介して受信されたタイミング信号の出力パターンをＲＯＭ６から選択すると共に、その選択した出力パターンのコマンド信号によって、受信したタイミング信号に同期して、左右の液晶シャッター１，２の開閉を制御する。
【００４２】
次に、上記構成の立体映像用メガネの作用について説明する。
【００４３】
上記立体映像用表示装置から送信された上記タイミング信号を信号受信部９にて受信し、このタイミング信号を通信用ＩＣ４にて受け、マイクロコンピュータ５にて上記タイミング信号を解読して、この解読されたタイミング信号に従って液晶シャッター駆動部３にて左右の液晶シャッター１，２のＯＮ，ＯＦＦ制御を行う。
【００４４】
ここで、各社の立体映像用表示装置の伝送信号のフォーマット（出力パターン）が異なる場合には、各社の伝送信号フォーマットを上記ＲＯＭ６に記憶させて、受信した伝送信号フォーマットに従って左右の液晶シャッター１，２のＯＮ，ＯＦＦ制御を行う。
【００４５】
図２に、上記立体映像用メガネの斜視図を示し、上記立体映像用メガネは、メガネフレーム２３を有し、このメガネフレーム２３に、上記左右の液晶シャッター１，２と上記バッテリー８と回路基板２２とが取り付けられ、液晶シャッター１，２とバッテリー８と回路基板２２とは、フレキシブル基板２４にて、電気的に接続されている。回路基板２２は、上記液晶シャッター駆動部３と上記通信用ＩＣ４と上記信号受信部９とを含む。
【００４６】
図３に、送信される左右の液晶シャッター１，２の切り替えタイミング信号の例を示す。上記立体映像用表示装置が右眼用と左眼用の映像を切り替えるタイミングを示したのが信号３０である。この信号３０のタイミングに従って左右の液晶シャッター１，２のＯＮ，ＯＦＦ制御するために、送信側から送られる２つの送信信号例を、（ａ)(ｂ）に示す。
【００４７】
（ａ）の送信信号例において、送信信号３１は、上記表示切替えタイミング信号３０の切り替えタイミング時に送信データ３７，３７’が送信される。この送信データ３７，３７’には、右眼用か左眼用かのデータとその切り替えタイミングの情報が伝送される。図３では、送信信号３７が左眼ＯＮ信号であり、送信信号３７’が右眼ＯＮ信号である。
【００４８】
そして、左眼ＯＮ信号３７により、タイミング３３に示すように右眼用液晶シャッター１を閉（ＯＦＦ）としてから、タイミング３２に示すように左眼用液晶シャッター２を開（ＯＮ）とする。右眼ＯＮ信号３７’により、タイミング３２に示すように左眼用液晶シャッター２を閉（ＯＦＦ）としてから、タイミング３３に示すように右眼用液晶シャッター１を開（ＯＮ）とする。
【００４９】
（ｂ）の送信信号例において、送信信号３４は、上記切り替えタイミング信号３０の左眼用映像ＯＮのタイミング時に送信データ３８が送信され、上記切り替えタイミング信号３０の左眼用映像ＯＦＦのタイミング時に送信データ３８’が送信される。また、上記切り替えタイミング信号３０の右眼用映像ＯＮのタイミング時に送信データ３９が送信され、上記切り替えタイミング信号３０の右眼用映像ＯＦＦのタイミング時に送信データ３９’が送信される。
【００５０】
つまり、上記左眼ＯＮ用送信データ３８にて、タイミング３５に示すように左眼用液晶シャッター２をＯＮとし、上記左眼ＯＦＦ用送信データ３８’にて、タイミング３５に示すように左眼用液晶シャッター２をＯＦＦとする。上記右眼ＯＮ用送信データ３９にて、タイミング３６に示すように右眼用液晶シャッター１をＯＮとし、上記右眼ＯＦＦ用送信データ３９’にて、タイミング３６に示すように右眼用液晶シャッター１をＯＦＦとする。
【００５１】
上記構成の立体映像用メガネによれば、上記ＲＯＭ６は、複数の出力パターンと、その出力パターンに応じた複数のコマンド信号とを記憶し、上記マイクロコンピュータ５は、立体映像用表示装置から受信されたタイミング信号の出力パターンをＲＯＭ６から選択すると共に、その選択した出力パターンのコマンド信号によって、受信したタイミング信号に同期して、左右の液晶シャッター１，２の開閉を制御するので、複数の互いに異なる方式（出力パターン）に対応できて、様々な種類の立体映像用表示装置に適応できる。したがって、各社方式に共通に使用できる立体映像用メガネを提供することができる。
【００５２】
（第２の実施形態）
図４は、この発明の立体映像用メガネの第２の実施形態を示している。上記第１の実施形態と相違する点を説明すると、この第２の実施形態では、選択用スイッチを有している。なお、上記第１の実施形態と同一の符号は、上記第１の実施形態と同じ構成であるため、その説明を省略する。
【００５３】
図４に示すように、上記選択用スイッチ１２は、ＲＯＭ６に記憶された複数の出力パターンから所望の出力パターンを選択する。また、マイクロコンピュータ５Ａは、選択用スイッチ１２により選択された出力パターンに基づいて、左右の液晶シャッター１，２の開閉を制御する。
【００５４】
したがって、上記選択用スイッチ１２にて所望の立体映像用表示装置に適応するように簡単に切り替えることができる。
【００５５】
（第３の実施形態）
図５は、この発明の立体映像用メガネの第３の実施形態を示している。上記第１の実施形態と相違する点を説明すると、この第３の実施形態では、マイクロコンピュータの構成が相違する。なお、上記第１の実施形態と同一の符号は、上記第１の実施形態と同じ構成であるため、その説明を省略する。
【００５６】
図５に示すように、上記マイクロコンピュータ５Ｂは、立体映像用表示装置から受信した出力パターンが、ＲＯＭ６に記憶された複数の出力パターンのうちの何れの出力パターンであるかを自動的に選択して、この選択された出力パターンに基づいて、左右の液晶シャッター１，２の開閉を制御する。
【００５７】
したがって、自動的に所望の立体映像用表示装置に適応するように切り替えることができる。
【００５８】
（第４の実施形態）
図６は、この発明の立体映像用メガネの第４の実施形態を示している。上記第１の実施形態と相違する点を説明すると、この第４の実施形態では、信号受信部の構成が相違する。なお、上記第１の実施形態と同一の符号は、上記第１の実施形態と同じ構成であるため、その説明を省略する。
【００５９】
図６に示すように、上記信号受信部９Ａは、アンテナ１１と、受信回路としてのＲＦ回路１０とを有する。アンテナ１１およびＲＦ回路１０は、立体映像用表示装置から無線通信により送信されるタイミング信号を受ける。
【００６０】
したがって、無線通信によりタイミング信号を伝送する立体映像用表示装置に適したものとなる。
【００６１】
（第５の実施形態）
図７は、この発明の立体映像用メガネの第５の実施形態を示している。上記第１の実施形態と相違する点を説明すると、この第５の実施形態では、信号受信部の構成が相違する。なお、上記第１の実施形態と同一の符号は、上記第１の実施形態と同じ構成であるため、その説明を省略する。
【００６２】
図７に示すように、上記信号受信部９Ｂは、受光素子１５と受信回路１６とを有する。受光素子１５および受信回路１６は、立体映像用表示装置から赤外線通信により送信されるタイミング信号を受ける。
【００６３】
したがって、赤外線通信によりタイミング信号を伝送する立体映像用表示装置に適したものとなる。
【００６４】
（第６の実施形態）
図８は、この発明の立体映像用メガネの第６実施形態である簡略構成図を示している。図８に示すように、この立体映像用メガネは、右眼用液晶シャッター１と、左眼用液晶シャッター２と、上記左右の液晶シャッター１，２を駆動する液晶シャッター駆動部３と、通信用ＩＣ４と、全体の電源となるバッテリー８と、送信されたタイミング信号を受信する信号受信部９と、学習部５１とを有する。
【００６５】
上記信号受信部９は、図示しない立体映像用表示装置から送信される左右映像切換え用のタイミング信号を受信する。この立体映像用表示装置は、例えば、パソコンやテレビ等の本体側であり、右眼用映像と左眼用映像とを時間的に交互に映像表示する。
【００６６】
上記左右の液晶シャッター１，２は、上記左右映像切換え用のタイミング信号に従って右眼と左眼とに対して開閉動作を行う。
【００６７】
上記通信用ＩＣ４は、制御部としてのマイクロコンピュータ５と、記憶部としてのＲＯＭ６Ａと、外部とのインターフェイス７とを有する。
【００６８】
上記学習部５１は、特定の上記立体映像用表示装置に対応した特定の立体映像用メガネの左右の液晶シャッター５７，５８が、この特定の立体映像用表示装置が送信するタイミング信号に従って、開閉するタイミングを学習する。学習部５１は、通信用ＩＣ４とコネクタ５９にて接続されている。
【００６９】
上記ＲＯＭ６Ａは、上記特定の立体映像用表示装置が送信するタイミング信号の出力パターンと、この出力パターンに対応すると共に学習部５１にて学習した開閉タイミングとを記憶する。
【００７０】
上記マイクロコンピュータ５は、左右の液晶シャッター１，２を独立に開閉（ＯＮ，ＯＦＦ）制御する。マイクロコンピュータ５は、上記特定の立体映像用表示装置から信号受信部９を介して受信されたタイミング信号の出力パターンを、この出力パターンに対応する開閉タイミングとともに、ＲＯＭ６Ａから選択すると共に、その選択した開閉タイミングによって、受信したタイミング信号に同期して、左右の液晶シャッター１，２の開閉を制御する。
【００７１】
次に、上記構成の立体映像用メガネの作用について説明する。
【００７２】
上記学習部５１は、特定の立体映像用表示装置に対応した本来の立体映像用メガネにおける左右の液晶シャッター５７，５８のＯＮ、ＯＦＦ動作状態の情報を、コネクタ５９を介して、左右の液晶シャッター１，２に伝送する。また、学習部５１は、この情報を、ＲＯＭ６Ａの学習機能用エリア５６に記憶させると同時に、特定の左右の液晶シャッター５７，５８のＯＮ，ＯＦＦのタイミング信号を読み取って学習機能用エリア５６に記憶させる。そして、マイクロコンピュータ５は、この学習機能用エリア５６に記憶されたデータによって、任意の表示装置から送信される信号を解読して、左右の液晶シャッター１，２のＯＮ、ＯＦＦ制御を行う。
【００７３】
上記構成の立体映像用メガネによれば、上記学習部５１は、特定の立体映像用表示装置に対応した特定の左右の液晶シャッター５７，５８が、この特定の立体映像用表示装置が送信するタイミング信号に従って、開閉するタイミングを学習し、上記ＲＯＭ６Ａは、特定の立体映像用表示装置が送信するタイミング信号の出力パターンと、この出力パターンに対応すると共に学習部５１にて学習した開閉タイミングとを記憶し、マイクロコンピュータ５は、特定の立体映像用表示装置から信号受信部９を介して受信されたタイミング信号の出力パターンを、この出力パターンに対応する開閉タイミングとともに、ＲＯＭ６Ａから選択すると共に、その選択した開閉タイミングによって、受信したタイミング信号に同期して、左右の液晶シャッター１，２の開閉を制御するので、特定の立体映像用表示装置から伝送されるタイミング切り替え信号を学習部５１によって学習することにより、特定の立体映像用表示装置に適応できる。したがって、各社方式に共通に使用できる立体映像用メガネを提供することができる。
【００７４】
（第７の実施形態）
図９は、この発明の立体映像用メガネの第７の実施形態を示している。上記第６の実施形態と相違する点を説明すると、この第７の実施形態では、学習部の構成を具体的に示している。なお、上記第６の実施形態と同一の符号は、上記第６の実施形態と同じ構成であるため、その説明を省略する。
【００７５】
図９に示すように、上記学習部５１Ａは、発光素子５４、発光素子駆動回路５５、受光素子５３および受光回路５２を有する。この発光素子５４、発光素子駆動回路５５、受光素子５３および受光回路５２は、特定の立体映像用表示装置の伝送信号に従って特定の左右の液晶シャッター５７，５８が開閉するタイミングを測定する。
【００７６】
上記発光素子５４および上記発光素子駆動回路５５は、特定の右眼用液晶シャッター５７の動作を確認するものと、特定の左眼用液晶シャッター５８の動作を確認するものとの２組存在する。また、上記受光素子５３および上記受光回路５２は、特定の右眼用液晶シャッター５７の動作を確認するものと、特定の左眼用液晶シャッター５８の動作を確認するものとの２組存在する。
【００７７】
ＲＯＭ６Ａは、特定の立体映像用表示装置の伝送信号を（一定時間）記憶すると共に、学習部５１Ａにて測定した特定の左右の液晶シャッター５７，５８の開閉タイミングを（一定時間）記憶する。したがって、特定の立体映像用表示装置に適応できる。
【００７８】
（第８の実施形態）
図１０は、この発明の立体映像用メガネの第８の実施形態を示している。上記第７の実施形態と相違する点を説明すると、この第８の実施形態では、信号受信部の構成が相違する。なお、上記第７の実施形態と同一の符号は、上記第７の実施形態と同じ構成であるため、その説明を省略する。
【００７９】
図１０に示すように、上記信号受信部９Ｂは、受光素子１５と受信回路１６とを有する。受光素子１５および受信回路１６は、立体映像用表示装置から赤外線通信により送信されるタイミング信号を受ける。
【００８０】
したがって、赤外線通信によりタイミング信号を伝送する立体映像用表示装置に適したものとなる。
【００８１】
（第９の実施形態）
図１１は、この発明の立体映像用メガネの第９の実施形態を示している。上記第７の実施形態と相違する点を説明すると、この第９の実施形態では、信号受信部の構成が相違する。なお、上記第７の実施形態と同一の符号は、上記第７の実施形態と同じ構成であるため、その説明を省略する。
【００８２】
図１１に示すように、上記信号受信部９Ａは、アンテナ１１と、受信回路としてのＲＦ回路１０とを有する。アンテナ１１およびＲＦ回路１０は、立体映像用表示装置から無線通信により送信されるタイミング信号を受ける。
【００８３】
したがって、無線通信によりタイミング信号を伝送する立体映像用表示装置に適したものとなる。
【００８４】
なお、この発明は上述の実施形態に限定されない。例えば、上記第１から上記第９の実施形態のそれぞれの特徴点を様々に組み合わせてもよい。また、上記第１から上記第９の実施形態の立体映像用メガネを、（テレビやパソコン等の）電子機器に一体に用いてもよい。
【００８５】
また、上記第１の実施形態（図３）の送信信号例は、本実施形態を実施するための一例であり、表示装置や３Ｄ映像方式により送信信号を任意とすることにより、更なる表示装置の分野への展開が図れる。また、上記電気部品や回路については、ＩＣ化や１チップ化により、更に軽量でコンパクトなメガネを提供できる。
【００８６】
また、上記第７の実施形態（図９）の学習部を、受発光素子を介して特定の液晶シャッターのＯＮ，ＯＦＦ動作をとらえて記憶させるように構成しているが、ＯＮ，ＯＦＦ動作のタイミングデータについては、例えばインターネットからダウンロードする方法、あるいは記憶媒体によるデータの提供により上記学習部と同等の機能を実現する方法もある。
【符号の説明】
【００８７】
１  右眼用液晶シャッター
２  左眼用液晶シャッター
３  液晶シャッター駆動部
４  通信用ＩＣ
５，５Ａ，５Ｂ  マイクロコンピュータ（制御部）
６，６Ａ  ＲＯＭ（記憶部）
７  インターフェイス
８  バッテリー
９，９Ａ，９Ｂ  信号受信部
１０  ＲＦ回路（受信回路）
１１  アンテナ
１２  選択用スイッチ
１５  受光素子
１６  受信回路
２２  回路基板
２３  メガネフレーム
２４  フレキシブル基板
３０  左・右映像切り替え信号
３１  送信信号
３２  左眼用液晶シャッター切り替えタイミング
３３  右眼用液晶シャッター切り替えタイミング
３４  送信信号
３５  左眼用液晶シャッター切り替えタイミング
３６  右眼用液晶シャッター切り替えタイミング
５１，５１Ａ  学習部
５２  受光回路
５３  受光素子
５４  発光素子
５５  発光素子駆動回路
５６  学習機能用エリア
５７  特定の右眼用液晶シャッター
５８  特定の左眼用液晶シャッター
５９  コネクタ
【図１】
0005241788.tif 000002
【図２】
0005241788.tif 000003
【図３】
0005241788.tif 000004
【図４】
0005241788.tif 000005
【図５】
0005241788.tif 000006
【図６】
0005241788.tif 000007
【図７】
0005241788.tif 000008
【図８】
0005241788.tif 000009
【図９】
0005241788.tif 000010
【図１０】
0005241788.tif 000011
【図１１】
0005241788.tif 000012
【図１２】
0005241788.tif 000013
【図１３】
0005241788.tif 000014
【図１４】
0005241788.tif 000015
【図１５】
0005241788.tif 000016
【図１６】
0005241788.tif 000017